(57)【特許請求の範囲】
【請求項１】
中央部分が略円錐状に隆起した光反射体と、前記略円錐状部分を覆うように取り付けられたマーカーキャップと、前記略円錐状部分の先端に取り付けられる取付部および該取付部から放射状に突設された取付アームで構成された基板と、その発光面が略円錐状部分側に向けて前記取付アームに取り付けられている発光素子とを有することを特徴とするマーカーランプ。
【請求項２】
略円錐状部分の母線がなだらかに凹湾曲していることを特徴とする請求項１に記載のマーカーランプ。
【請求項３】
略円錐状部分の表面に複数の突起又は凹部の少なくともいずれか一方が形成されていることを特徴とする請求項１又は２に記載のマーカーランプ。
【請求項４】
突起または凹部が、その長手方向に対して直角方向の断面が半円状の凹溝又は突畝状であり且つ同心円状に形成されていることを特徴とする請求項３に記載のマーカーランプ。
【請求項５】
略円錐状部分の表面が階段且つ同心円状に形成されていることを特徴とする請求項４に記載のマーカーランプ。
【発明の詳細な説明】
【０００１】
【発明の属する技術分野】
本発明は自動車、特に大型トラックのような大型車両の車幅を明示する標識として或いは装飾のために荷台の下端その他必要箇所に取り付けられるマーカーランプに関する。
【０００２】
【従来の技術】
従来のマーカーランプ(B)は、マーカーベース(100)の中心部に立設された口金(101)に電球(102)が装着されたものであり、点灯時にその光がダイヤカットされたマーカーキャップ(103)を通して外部に露光しており、前述のように大型車両(図示せず)の車幅の明示している。ところが、このマーカーランプ(B)は荷台の周囲や必要箇所に多数設置されるため、総消費電力が意外に多く、車載バッテリーの負担となるという問題があった。
【０００３】
その他、マーカーランプ(B)に使用される電球(102)は、光源としてタングステンフィラメント(104)を使用しているので、走行時の振動により破断することが多く、電球交換をかなりの頻度で行なう必要があり、手間とコストがかかるという問題があった。
【０００４】
【発明が解決しようとする課題】
本発明はかかる従来例のマーカーランプに鑑みてなされたもので、消費電力が少なく且つ光源の破損もない画期的なマーカーランプの開発をその課題とするものである。
【０００５】
【課題を解決するための手段】
「請求項１」は本発明のマーカーランプ(A)に関し「略円錐状に隆起した光反射体(1)と、前記略円錐状部分(2)を覆うように取り付けられたマーカーキャップ(3)と、前記略円錐状部分(2)の先端に取り付けられる取付部(12)および該取付部(12)から放射状に突設された取付アーム(30)で構成された基板(4)と、その発光面(6)が略円錐状部分(2)側に向けて取付アーム(30)に取り付けられている発光素子(5)とを有する」ことを特徴とする。
【０００６】
発光素子(5)を点灯すると発光素子(5)から出た光の一部はそのままマーカーキャップ(3)の中段(7)から裾(8)の部分から外部に露光したり或いはダイヤカットされたマーカーキャップ(3)の内周面に乱反射されて最終的にマーカーキャップ(3)から露光する。一方、略円錐状部分(2)に向かう光は略円錐状部分(2)に反射され、そのままマーカーキャップ(3)から外部に露光したり或いはダイヤカットされたマーカーキャップ(3)の内周面に乱反射されて最終的にマーカーキャップ(3)から露光する。その結果、ＬＥＤのような点光源である発光素子(5)であったとしても発光素子(5)が点状として特異的に光らず、従来の電球(102)に劣らずマーカーキャップ(3)全体が明るく光る。なお、発光素子(5)を複数個使用した場合でも、前述のようにマーカーキャップ(3)内で乱反射してマーカーキャップ(3)全体が明るく光るようになる。
【０００７】
「請求項２」は光反射体(1)の略円錐状部分(2)の形状に関し、「略円錐状部分(2)の母線(M)がなだらかに凹湾曲している」ことを特徴とするものであり、このようになっておれば発光素子(5)から出た光の一部は、中段(7)から裾(8)にまんべんなく分布してこの部分(7)(8)を明るく光らせる。残部の光はマーカーキャップ(3)内を乱反射してマーカーキャップ(3)全体を明るく光らせる。なお、母線(M)とは図１に示すように光反射体(1)を縦に切断したときの切断面と略円錐状部分(2)の表面との交線である。
【０００８】
なお、請求項２では「略円錐状部分(2)の母線(M)がなだらかに凹湾曲している」ことを規定したが、マーカーキャップ(3)そのものの形状或いはそのカット形状により前記形状に限られず、図示していないが前記の逆で略円錐状部分(2)の母線(M)がなだらかに凸湾曲している場合や、直線状の場合(即ち、略円錐型)も請求項１には当然含まれる。
【０００９】
「請求項３」は略円錐状部分(2)の表面の形状で「略円錐状部分(2)の表面に複数の突起(11)又は凹部(10)の少なくともいずれか一方が形成されている」ことを特徴とするもので、これら突起(11)や凹部(10)により略円錐状部分(2)の表面において、突起(11)や凹部(10)に反射された光は大きく乱反射され、マーカーキャップ(3)全体をよりまんべんなく光らせることになる。特に、ＬＥＤのような点光源に近い発光素子(5)を使用した場合、発光素子(5)のところだけが明るく点状に光るようにならず、マーカーキャップ(3)全体をよりまんべんなく光らせることになる。なお、この突起(11)又は凹部(10)は略円錐状部分(2)の表面に散点状に形成された点状突起または点状凹部、後述する突畝状あるいは凹溝状など表面に至った光が乱反射されるような形状のものが全て含まれる。
【００１０】
「請求項４、５」は前記突起(10)または凹部(11)の形状の一例で、前者は「突起(10)または凹部(11)が、その長手方向に対して直角方向の断面が半円状の凹溝又は突畝状であり且つ同心円状に形成され」ており、後者は「略円錐状部分(2)の表面が階段且つ同心円状に形成されている」ものである。
【００１１】
【発明の実施の形態】
以下、本発明を図示実施例に従って説明する。光反射体(1)は、中央部分が最も高い略円錐状に隆起した略円錐状部分(2)とその略円錐状部分(2)の中央に柱状に設けられた取付部(12)とで構成された白色(勿論、白色に限られず光を反射するものであればよく、例えば、鏡面仕上げされた金属色のようなものでもよい。)の樹脂成形体である。(勿論、取付部(12)がなく全体を略円錐状部分(2)で構成することも可能である。)柱状の取付部(12)には底面(13)に貫通する貫通孔(14)が穿設されている。
【００１２】
光反射体(1)の略円錐状部分(2)の形状は、その母線(M)がなだらかに凹湾曲(＝凹円弧状)している平坦なものでもよいし、図示していないがその母線(M)が直線状のものあるいは逆の凸湾曲(＝凸円弧状)のものでもよい。また、その表面に突起(11)や凹部(10)が散点状に形成されているもの或いは突畝状または凹溝状のものが同心円状に形成されているなど各種の凹凸が形成されている。
【００１３】
略円錐状部(2)に形成される前記凹部(10)又は突起(11)の形状は、散点状に形成されるものにあっては半球状のものや三角錐や四角錐など角錐状のものが考えられ、突畝状や凹溝状のものにあっては溝長手方向に直角な断面が半円或いは円弧状であってもよいし、Ｖ形、逆Ｖ形でもよいしその他の形状、例えば雛壇或いは段々状であってもよい。これら突起(11)や凹部(10)はマーカーキャップ(3)の内周面に形成されたカットに合わせて最適のものが選択される。
【００１４】
本実施例の光反射体(1)の略円錐状部分(2)の形状は、図２に示すようにその母線(M)がなだらかに凹湾曲で、その表面に同心円状に凹溝状の凹部(10)が所定間隔で数条(ここでは７条)形成されている。また、本実施例の光反射体(1)の取付部(12)は、金型の抜け勾配を設けるため若干上部に比べて下部が太いテーパー状に形成されている。また、前記光反射体(1)は中実体であるが、勿論、これに限られず例えば略円錐状部分(2)と底部(13a)とを別体で作成し、これを張り合わせた中空体のようなものでもよい。
【００１５】
マーカーキャップ(3)は頂部(9)から下面開口部(15)に向けてその内径が拡径している釣鐘状のもので、透明ないし半透明そして有色あるいは無色のガラスまたはポリカーボネートのような樹脂で形成されている。その内周面にはダイヤカット或いはレンズ状の膨出部分(16)その他光を散乱するような模様が前記光反射体(1)の略円錐状部分(2)に合わせて形成されている。また、下面開口部(15)の周囲全周は若干帯状に膨出されておりこの部分を帯状膨出部(17)とする。
【００１６】
光反射体(1)とマーカーキャップ(3)とがマウントされるマーカーベース(18)は平たい円皿状のもので、周囲に外周縁(19)が立設されており、その外周面の上半分に雄ねじ(20)が、その下に外周溝(21)が全周にわたって凹設されている。またその中心には配線孔(22)が形成されている。更に前記外周縁(19)の内周面に前記マーカーキャップ(3)の帯状膨出部(17)が嵌り込むように若干段状に全周にわたって形成されている。この部分をキャップ用段部(24)とする。
【００１７】
また、マーカーベース(18)の外縁部分に光反射体(1)の外周が嵌り込む円形の段部が全周にわたって形成されており、この部分を光反射体用段部(25)とする。なお、マーカーキャップ(3)とマーカーベース(18)とを一体的に形成してもよい。
【００１８】
前記マーカーキャップ(3)は固定リング(26)によってマーカーベース(1)に固定されるが、この固定リング(26)は、下部内周に前記外周縁(19)の雄ねじ(20)に螺着される雌ねじ(27)が螺刻されており、その上の部分が絞られており、当該絞部(28)の内径はマーカーキャップ(3)の帯状膨出部(17)の外径にも小さく形成されている。そして、前記固定リング(26)の下部にはネジ用通孔(29)がマーカーベース(18)の外周縁(19)に形成された外周溝(21)に合わせて穿設されている。
【００１９】
基板(4)は、発光素子(5)を取り付けるための部材で、図に示すように中央の取付部(12)から１乃至複数の取付アーム(30)が突設されている。本実施例では発光素子(5)の取り付け数は３であるから放射状に三方向に均等に取付アーム(30)が突設されている。(この取付アーム(30)はマーカーキャップ(3)の頂部(9)に向かう光の遮蔽量を最小限にするために取付アーム(30)間の取り付けに必要のない部分を切り取った残部である。)この基板(4)に取り付けられる発光素子(5)はＬＥＤのような素子或いは有機ＥＬのようなデバイスが使用される。発光素子(5)の色は赤、青、黄その他現在使用可能なものが使われる。
【００２０】
しかして、図２に示すように光反射体(1)の取付部(12)の先端部分に基板(4)を嵌め込み、取付部(12)の先端を熱変形させて取付部(12)の先端に基板(4)を固定する。そして発光素子(5)を略円錐状部分(2)側に向けて取付アーム(30)に用意されている取付孔(32)に挿入・固定し、その配線(34)を光反射体(1)の貫通孔(14)に防水部材(35)を介して挿通する。
【００２１】
次にこの光反射体(1)をマーカーベース(18)の底部の光反射用段部(25)内に嵌め込み、必要に応じてマーカーベース(1)の裏面に取り付けられる取付金具(31)と共にねじ止めする。(36)はそのビスである。
【００２２】
次いで、マーカーキャップ(3)を光反射体(1)の上からは被せ、その帯状膨出部(17)をマーカーベース(18)の外周縁(19)のキャップ用段部(24)に嵌め込む。続いて、固定リング(26)をマーカーキャップ(3)の上から嵌め込み、その雌ねじ(27)を外周縁(19)の雄ねじ(20)に螺着し、固定ねじ(37)にて外周縁(19)の外周溝(21)にねじ込み、マーカーキャップ(3)をマーカーベース(18)に固定する。
【００２３】
最後に、取付金具(31)を介して或いは直接マーカーランプ(A)を車両の荷台の周囲あるいは必要箇所に取り付け、必要な配線を行う。
【００２４】
マーカーランプ(A)の発光素子(5)を点灯すると、１又は複数(ここでは３個)の発光素子(5)が点灯する。使用されている発光素子(5)はすべて同種の色でもよいし異なる色でもよい。色が異なる場合、カクテル光となって露光する。
【００２５】
前述のように発光素子(5)から出た光の一部はそのままマーカーキャップ(3)の中段(7)から裾(8)の部分にかけての部分から外部に露光したり或いはダイヤカットされたマーカーキャップ(3)の内周面に乱反射されて最終的にマーカーキャップ(3)から露光する。
【００２６】
また、略円錐状部分(2)に向かう光は略円錐状部分(2)に反射され、そのままマーカーキャップ(3)から外部に露光したり或いはダイヤカットされたマーカーキャップ(3)の内周面に乱反射されて最終的にマーカーキャップ(3)から露光する。その結果、ＬＥＤのような点光源である発光素子(5)であったとしても従来の電球(102)に劣らずマーカーキャップ(3)全体が明るく光る。なお、発光素子(5)を複数個使用した場合でも、前述のようにマーカーキャップ(3)内で乱反射してマーカーキャップ(3)全体が明るく光るようになる。
【００２７】
そして、頂部(9)は、発光素子(5)が略円錐状部分(2)に向けて設置されているので暗くなりがちであるが、出来る限り光が透過するように取付アーム(30)の間を切除して光を遮らないようにしている。これにより頂部(9)に乱反射した光がある程度集まり、頂部(9)を明るくすることができる。
【００２８】
【発明の効果】
本発明にあっては、発光素子の発光面が略円錐状部分側に向けて基板に取り付けられているので、略円錐状部分に向かう光は前記略円錐状部分に反射され、そのままマーカーキャップから外部に露光したり或いはダイヤカットされたマーカーキャップの内周面に乱反射されて最終的にマーカーキャップから露光するが、その結果、ＬＥＤのような発光素子が点光源であったとしても従来の電球に劣らずマーカーキャップ全体を明るく光らせる事ができる。発光素子を複数個使用した場合でも、マーカーキャップ内で乱反射してマーカーキャップ全体が明るく光るようになる。また、電球でなく発光素子を使用しているので、消費電力を大幅に少なくする事が出来、しかも電球のようにフィラメントが切断するようなこともなくメンテナンスフリーとなる。
【図面の簡単な説明】
【図１】本発明に係るマーカーランプの平断面図
【図２】図１の縦断面図
【図３】図１の平面図
【図４】図１に使用される光反射体の部分断面図
【図５】図１に使用される他の光反射体の部分断面図
【図６】図１に使用される更にその他の光反射体の部分断面図
【図７】従来例の部分縦断面図
【符号の説明】
(1)光反射体
(2)略円錐状部分
(3)マーカーキャップ
(4)基板
(5)発光素子
【図１】
0003955218.tif 000002
【図２】
0003955218.tif 000003
【図３】
0003955218.tif 000004
【図４】
0003955218.tif 000005
【図５】
0003955218.tif 000006
【図６】
0003955218.tif 000007
【図７】
0003955218.tif 000008